(57)【要約】【課題】細長い指部分が破損し難く、額板に強く安定的に固定することが可能となる額入れ用立体造形手形を提供する。【解決手段】（ａ）印象材を用いて得た人の手の陰型手形に石膏を流し込んで得られる石膏手形１の甲部に平坦に形成された台取付部２と、（ｂ）該台取付部２から内部に向けて該台取付部２に対して垂直になるように形成され、ボルト６を差し込み可能としたボルト穴５と、（ｃ）該ボルト穴５の内部に、前記ボルト６が螺着可能に埋設されたナット部３と、（ｄ）該ナット部３に各基端部４ａが固着され、先端部４ｂが前記石膏手形１の５指の内部に埋設された補強材７とから成り、前記ナット部３に前記ボルト６を設定した傾斜角度で安定的に着脱可能としたことを特徴とする。【選択図】  図１
2014113820.tif 000002
【特許請求の範囲】
【請求項１】
（ａ）弾性印象材の中に人の手に入れて得られた陰型手形に石膏を流し込んで、前記弾性印象材を除去して得た石膏手形の手首部又は手首部から甲部にかけての領域に設定した傾斜角度で平坦状に形成した台取付部と、
（ｂ）該台取付部から内部に向けて該台取付部の平坦面に対してボルト中心線が垂直となり且つ該ボルトを差し込み可能としたボルト穴と、
（ｃ）該ボルト穴の内部に前記ボルトを螺着可能に埋設したナット部と、
（ｄ）該ナット部に各基端部を固着して埋設するか又は基端部に設けたアンカー部を前記掌部に埋設し且つ先端部が指先近傍まで届くように前記石膏手形の５本の指のうち少なくとも１本の指の内部に埋設した線状、紐状又は棒状の補強材とから成り、
前記補強材入りの石膏手形を前記ボルトで石膏手形を装飾台に固定可能としたことを特徴とする立体造形手形。
【請求項２】
（ａ）弾性印象材の中に人の手を入れて得られた陰型手形に石膏を流し込んで、前記弾性印象材を除去して得た石膏手形の手首部又は手首部から甲部にかけての領域に設定した傾斜角度で平坦状に形成した台取付部と、
（ｂ）ボルト頭を前記石膏手形の内部に配すると共にネジ部を前記台取付部から突出させ前記台取付部の平坦面に対してボルト中心線が垂直となるように埋設したボルトと、
（ｃ）前記ボルト頭に各基端部を固着して埋設するか又は基端部に設けたアンカー部を掌部に埋設し且つ先端部が指先近傍まで届くように前記石膏手形の５本の指のうち少なくとも１本の指の内部に埋設した線状、紐状又は棒状の補強材とから成り、
前記補強材入りの石膏手形を前記ボルトにナットを螺着して石膏手形を装飾台に固定可能としたことを特徴とする立体造形手形。
【請求項３】
台取付部に直立したボルトが貫挿可能となる位置に、該台取付部の平坦面と表面とが面一となるように埋設した平面板を備えたことを特徴とする請求項１又は２に記載の立体造形手形。
【請求項４】
石膏手形の内部に埋設したナット部又はボルト頭に直接又は補強材固定体を介して補強材挿込穴を設け、該補強材挿込穴に各補強材の各基端部を差し込んで各補強材をナット部又はボルト頭に固着したことを特徴とする請求項１から３のうちいずれかに記載の立体造形手形。
【請求項５】
石膏手形を固定するボルトが貫通可能なボルト孔を備えた装飾台の裏面側のボルト孔開口部に、ナット又はボルト頭が埋没可能となるボルト隠し穴を形成し、前記装飾台の裏面から前記ナット又はボルト頭を突出させずに石膏手形を固定可能としたことを特徴とする請求項１から４のうちいずれかに記載の立体造形手形。
【請求項６】
請求項１から５うちのいずれかに記載の立体造形手形の製造方法あって、
（Ａ）アルギン酸塩のペーストに石膏を混合し、ゲル化時間を設定時間に調節したペースト状の弾性印象材を得るゲル化時間設定工程と、
（Ｂ）手にワセリンを塗り、該弾性印象材内に該手を差し込み、設定時間後に該手を抜いて陰型手形を得る陰型手形型取り工程と、
（Ｃ）ボルト挿込み孔を設けた平面当て板に、該平面当て板の下面に補強材を固定したナット部を螺着したボルト又は補強材を固定したボルト頭を配したボルトを貫装するか若しくは前記平面当て板の下面にナット部を螺着したボルト又はボルト頭を配したボルトを貫装し、
前記陰型手形型取り工程で得られた陰型手形内に、少なくとも１本の指部分に補強材を挿し込みつつナット部又はボルト頭を入れてペースト状の石膏を流し込み、同時的に振動させて石膏を指先部分まで行き渡らせ、石膏が前記陰型手形に満杯になったら前記平面当て板を所望傾斜に押し当てて手首又は手首から甲部にかけての領域に平坦状の台取付部を形成し、石膏の硬化後、前記弾性印象材を除去して石膏手形を得る石膏手形型取り工程と、
（Ｄ）得られた石膏手形の表面の手の形と異なる凹凸部分を除去し、整形された石膏手形を得る手形仕上げ工程と、
から成ることを特徴とする立体造形手形の製造方法。
【請求項７】
請求項１から５のうちいずれかに記載の立体造形手形の製造方法あって、
（Ａ）アルギン酸塩のペーストに石膏を混合し、ゲル化時間を設定時間に調節したペースト状の弾性印象材を得るゲル化時間設定工程と、
（Ｂ）手にワセリンを塗り、該弾性印象材内に該手を差し込み、設定時間後に該手を抜いて陰型手形を得る陰型手形型取り工程と、
（Ｃ）前記陰型手形型取り工程で得られた陰型手形にペースト状の石膏を流し込み、同時的に振動させて該石膏を指先部分まで行き渡らせ、該石膏の硬化後、前記弾性印象材を除去して石膏手形原本を得る石膏手形原本型取り工程と、
（Ｄ）得られた石膏手形原本の表面の手の形と異なる凹凸部分を除去する石膏手形原本整形工程と、
（Ｅ）アルギン酸塩を主したペースト状の弾性印象材内に、ワセリンを塗った前記石膏手形原本を差し込み、硬化後に前記石膏手形原本を抜いて整形した陰型手形を取る整形陰型手形型取り工程と、
（Ｆ）ボルト挿込み孔を設けた平面当て板に、該平面当て板の下面に補強材を固定したナット部を螺着したボルト又は補強材を固定したボルト頭を配したボルトを貫装するか若しくは前記平面当て板の下面にナット部を螺着したボルト又はボルト頭を配したボルトを貫装し、
前記陰型手形型取り工程で得られた陰型手形内に、少なくとも１本の指部分に補強材を挿し込みつつナット部又はボルト頭を入れてペースト状の石膏を流し込み、同時的に振動させて石膏を指先部分まで行き渡らせ、石膏が前記陰型手形に満杯になったら前記平面当て板を所望傾斜に押し当てて手首又は手首から甲部にかけての領域に平坦状の台取付部を形成し、石膏の硬化後、前記弾性印象材を除去して石膏手形を得る整形石膏手形型取り工程と、
（Ｇ）得られた整形石膏手形の表面の手の形と異なる凹凸を除去して整形された石膏手形を得る手形仕上げ工程と、
から成ることを特徴とする額入れ用立体造形手形の製造方法。
【請求項８】
手形仕上げ工程後に、整形された石膏手形の台取付部にボルト孔を設けた装飾台をボルト又はナット部で固定する装飾台固定工程を有したことを特徴とする請求項６又は７に記載の立体造形手形。
【発明の詳細な説明】
【技術分野】
【０００１】
本発明は人の手形を印象材で型取りし、その型に石膏を流し込んで得た石膏手形を額に入れて飾るための立体造形手形と、その立体造形手形を製造するための方法に関する。
【背景技術】
【０００２】
額に入れて装飾する立体的に造形された手形について、例えば下記特許文献１に記載の考案が提案され、手や足の型に石膏を流し込んで得る立体的な模型を額に入れる技術が開示されている。
【先行技術文献】
【特許文献】
【０００３】
【特許文献１】実開昭６０−９４９９９号公報
【発明の概要】
【発明が解決しようとする課題】
【０００４】
上記特許文献１に記載の考案では、手の模型では立体的に長く突出した細長い指部分が容易に折れてしまうおそれがある。その理由は石膏の強度がセメントや合成樹脂等に比較して小さいからである。そのような装飾品では特に、少しでも表面に傷や破損が存在すると商品価値を失ってしまう。
又、その模型を額に入れて装飾する場合、周囲に嵌め込み溝を設けてはいるが、その溝では模型を額板に嵌め込んでも強固な位置固定とはならず、搬送時等に受ける振動や衝撃で模型が定位置から外れたり傾いたりしてしまうおそれがある。
【０００５】
本発明は、上記事情に鑑みてなされたものであり、手を印象材で型取りして石膏をその型に流し込んで得た造形手形の長細く突出した指部分が容易に折れることなく、且つ該造形手形を額に入れり台に立てる際に、額板や台に対する手取り付け角度を見映えを考慮した傾斜角度で位置決めし、安定的且つ強固に固定することが可能となる額入れ用立体造形手形及びその立体造形手形の製造方法を提供することを目的とする。
【課題を解決するための手段】
【０００６】
上記課題を解決するため、本発明の額入れ用立体造形手形における請求項１に記載の発明は、（ａ）弾性印象材の中に人の手に入れて得られた陰型手形に石膏を流し込んで、前記弾性印象材を除去して得た石膏手形の手首部又は手首部から甲部にかけての領域に設定した傾斜角度で平坦状に形成した台取付部と、（ｂ）該台取付部から内部に向けて該台取付部の平坦面に対してボルト中心線が垂直となり且つ該ボルトを差し込み可能としたボルト穴と、（ｃ）該ボルト穴の内部に前記ボルトを螺着可能に埋設したナット部と、（ｄ）該ナット部に各基端部を固着して埋設するか又は基端部に設けたアンカー部を前記掌部に埋設し且つ先端部が指先近傍まで届くように前記石膏手形の５本の指のうち少なくとも１本の指の内部に埋設した線状、紐状又は棒状の補強材とから成り、前記補強材入りの石膏手形を前記ボルトで石膏手形を装飾台に固定可能としたことを特徴とする。
【０００７】
請求項２に記載の発明は、（ａ）弾性印象材の中に人の手を入れて得られた陰型手形に石膏を流し込んで、前記弾性印象材を除去して得た石膏手形の手首部又は手首部から甲部にかけての領域に設定した傾斜角度で平坦状に形成した台取付部と、（ｂ）ボルト頭を前記石膏手形の内部に配すると共にネジ部を前記台取付部から突出させ前記台取付部の平坦面に対してボルト中心線が垂直となるように埋設したボルトと、（ｃ）前記ボルト頭に各基端部を固着して埋設するか又は基端部に設けたアンカー部を掌部に埋設し且つ先端部が指先近傍まで届くように前記石膏手形の５本の指のうち少なくとも１本の指の内部に埋設した線状、紐状又は棒状の補強材とから成り、前記補強材入りの石膏手形を前記ボルトにナットを螺着して石膏手形を装飾台に固定可能としたことを特徴とする。
【０００８】
請求項３に記載の発明は、上記各発明において、前記台取付部に直立したボルトが貫挿可能となる位置に、該台取付部の平坦面と表面とが面一となるように埋設した平面板を備えたことを特徴とする。
【０００９】
請求項４に記載の発明は、上記各発明において、前記石膏手形の内部に埋設したナット部又はボルト頭に直接又は補強材固定体を介して補強材挿込穴を設け、該補強材挿込穴に各補強材の各基端部を差し込んで各補強材をナット部又はボルト頭に固着したことを特徴とする。
【００１０】
請求項５に記載の発明は、上記各発明において、前記石膏手形を固定するボルトが貫通可能なボルト孔を備えた装飾台の裏面側のボルト孔開口部に、ナット又はボルト頭が埋没可能となるボルト隠し穴を形成し、前記装飾台の裏面から前記ナット又はボルト頭を突出させずに石膏手形を固定可能としたことを特徴とする。
【００１１】
請求項６に記載の発明は、上記請求項１から５うちのいずれかに記載の立体造形手形の製造方法あって、（Ａ）アルギン酸塩のペーストに石膏を混合し、ゲル化時間を設定時間に調節したペースト状の弾性印象材を得るゲル化時間設定工程と、（Ｂ）手にワセリンを塗り、該弾性印象材内に該手を差し込み、設定時間後に該手を抜いて陰型手形を得る陰型手形型取り工程と、（Ｃ）ボルト挿込み孔を設けた平面当て板に、該平面当て板の下面に補強材を固定したナット部を螺着したボルト又は補強材を固定したボルト頭を配したボルトを貫装するか若しくは前記平面当て板の下面にナット部を螺着したボルト又はボルト頭を配したボルトを貫装し、前記陰型手形型取り工程で得られた陰型手形内に、少なくとも１本の指部分に補強材を挿し込みつつナット部又はボルト頭を入れてペースト状の石膏を流し込み、同時的に振動させて石膏を指先部分まで行き渡らせ、石膏が前記陰型手形に満杯になったら前記平面当て板を所望傾斜に押し当てて手首又は手首から甲部にかけての領域に平坦状の台取付部を形成し、石膏の硬化後、前記弾性印象材を除去して石膏手形を得る石膏手形型取り工程と、（Ｄ）得られた石膏手形の表面の手の形と異なる凹凸部分を除去し、整形された石膏手形を得る手形仕上げ工程と、から成ることを特徴とする。
【００１２】
請求項７に記載の発明は、上記請求項１から５のうちいずれかに記載の立体造形手形の製造方法あって、（Ａ）アルギン酸塩のペーストに石膏を混合し、ゲル化時間を設定時間に調節したペースト状の弾性印象材を得るゲル化時間設定工程と、（Ｂ）手にワセリンを塗り、該弾性印象材内に該手を差し込み、設定時間後に該手を抜いて陰型手形を得る陰型手形型取り工程と、（Ｃ）前記陰型手形型取り工程で得られた陰型手形にペースト状の石膏を流し込み、同時的に振動させて該石膏を指先部分まで行き渡らせ、該石膏の硬化後、前記弾性印象材を除去して石膏手形原本を得る石膏手形原本型取り工程と、（Ｄ）得られた石膏手形原本の表面の手の形と異なる凹凸部分を除去する石膏手形原本整形工程と、（Ｅ）アルギン酸塩を主したペースト状の弾性印象材内に、ワセリンを塗った前記石膏手形原本を差し込み、硬化後に前記石膏手形原本を抜いて整形した陰型手形を取る整形陰型手形型取り工程と、（Ｆ）ボルト挿込み孔を設けた平面当て板に、該平面当て板の下面に補強材を固定したナット部を螺着したボルト又は補強材を固定したボルト頭を配したボルトを貫装するか若しくは前記平面当て板の下面にナット部を螺着したボルト又はボルト頭を配したボルトを貫装し、前記陰型手形型取り工程で得られた陰型手形内に、少なくとも１本の指部分に補強材を挿し込みつつナット部又はボルト頭を入れてペースト状の石膏を流し込み、同時的に振動させて石膏を指先部分まで行き渡らせ、石膏が前記陰型手形に満杯になったら前記平面当て板を所望傾斜に押し当てて手首又は手首から甲部にかけての領域に平坦状の台取付部を形成し、石膏の硬化後、前記弾性印象材を除去して石膏手形を得る整形石膏手形型取り工程と、（Ｇ）得られた整形石膏手形の表面の手の形と異なる凹凸を除去して整形された石膏手形を得る手形仕上げ工程と、から成ることを特徴とする。
【００１３】
請求項８に記載の発明は、上記各発明において、前記手形仕上げ工程後に、整形された石膏手形の台取付部にボルト孔を設けた装飾台をボルト又はナット部で固定する装飾台固定工程を有したことを特徴とする。
【発明の効果】
【００１４】
本発明の請求項１と請求項２に記載の発明とはいずれも、石膏手形の少なくとも１本の指の中に埋設した補強材によって、強度の小さい指部分の石膏を補強し、指部分が細く長くても折れ難くなる。このため額に入れるまでの石膏手形の加工や移動中での破損が防止可能となる。又、額に入れた後でも、額の落下などによる衝撃を受けても指部分の破損が防止でき、製品の寿命を長く保持することができる
前記補強材は基端部がナット部又はボルト頭に固着されるか又はアンカー部が前記掌部に埋設されることで手から引抜けなくなり指部分がよりに補強され指の破損が防止される。
又、手の手首部から甲部にかけて形成された台取付部が所望の傾斜角度に形成できるので、石膏手形を額内に見映え良い角度で安定的に固定することが可能となる。
更に、ボルトによって石膏手形を額板に強固に固定することが可能となる。
【００１５】
又、請求項１に記載の発明では、ボルトの長さを製造後であっても自由に選択可能となり、このため石膏手形をボルトが装飾台の背面から大きく突出しないように取り付けることが可能となる。
この形態では、ボルトをナット部から外せば、石膏手形の手首部から甲部にかけての領域に突出するものがなくなるので、保管する際に嵩張らず、又複数個を纏めて保管したり運搬する場合、石膏手形同士が当たっても金属ボルトで石膏表面を損傷するのが防止できる。
又、請求項２に記載の発明では、装飾台の取り付け面にボルトに螺着可能な雌ネジが形成されていれば、石膏手形に直接装飾台を取り付けることが可能となる。
【００１６】
請求項３に記載の発明は、平面板が石膏手形の台取付部内のボルト部分周辺を補強し、ボルト締めした際に、強力にボルトが引かれても平面板の中央部分が破壊されるのが防止される。
その際に、平面板が台取付部の表面と面一となるのでその下地となる額入れ用台板等との板面との密着性が損なわれない。
【００１７】
請求項４に記載の発明は、ボルト頭又はナット部と一体の補強材固定体に設けた５個の補強材挿込穴に各補強材の基端部を差し込むことで、補強材をボルト頭又はナット部に容易に且つ確実に固着することが可能となる。
【００１８】
請求項５に記載の発明は、石膏手形を装飾台に装着する際に、装飾台のボルト孔の背面側開口部に設けたボルト隠し穴に、ナット部又はボルト頭が装飾台の背面から突出しないように隠れるので、該装飾台の背面と額板に表面とを密着させて額板に装飾台を接着剤や釘等で安定的に固定することが可能となる。
【００１９】
請求項６に記載の発明は、ゲル化時間設定工程においては、アルギン酸塩のペーストに加える石膏の配合量で弾性印象材のゲル化時間を任意の時間に設定できる。
例えば、陰型手形の型取りを行う際に手を印象材に入れて置くのを嫌がる乳児に対して、石膏の配合量を増やして弾性印象材のゲル化時間を１分以内の短時間の設定することで、入れた手を抵抗なく短時間で引き抜くことが可能となる。
又、石膏手形型取り工程では、平面当て板を所望傾斜に押し当てることで手の手首部から甲部に好みの傾斜角度の台取付部が得られ、額に入れた際に、石膏手形の掌を正面から見て好みの角度に傾斜させて位置決することが可能となる。
そして、ボルトで石膏手形を安定的且つ強固に固定することが可能となる。
【００２０】
請求項７に記載の発明は、請求項７に記載の発明と同様に、石膏の配合量で弾性印象材のゲル化時間を設定でき、平面当て板を所望傾斜に押し当てることで手の甲部に好みの傾斜角度の台取付部が得られ、更にボルトによって石膏手形を安定的且つ強固に固定することが可能となる。
又、石膏手形原本型取り工程で得られた石膏手形原本は、その後何回でも次の整形陰型手形型取り工程に使用することができ、何度も繰り返して同じ形の石膏手形を製造することが可能となる。
従って、この形態では同じ形の石膏手形を大量生産することができる。
【００２１】
請求項８に記載の発明は、完成した石膏手形を厚さのある装飾台に長さのあるボルトで安定的且つ強固に固定し、更に該装飾台を額板に安定的に固定することができる。
その際に装飾台に対して石膏手形が台取付部で決まる傾斜角度で正確に位置決めされ、額内に石膏手形を見映え良く固定することが可能となる。
【図面の簡単な説明】
【００２２】
【図１】本発明の石膏手形に（イ）がナット部を埋設した形態を示し、（ロ）がボルト頭を埋設した形態を示す各斜視図である。
【図２】ナット部を埋設した形態の石膏手形に（イ）が装飾台を取り付ける前の状態を示し、（ロ）が取り付け後の状態を示す各縦断側面図である。
【図３】別の形態の石膏手形に（イ）がナット部を埋設した形態を示し、（ロ）がボルト頭を埋設した形態を示す各縦断側面図である。
【図４】（イ）がボルトを外した状態の補強材付きのナット部とした形態と示し、（ロ）がナット部を外した状態の補強材付きのボルト頭とした形態を示す各斜視図である。
【図５】（イ）が弾性印象材を容器に入れた状態を示し、（ロ）が弾性印象材に手を入れた状態を示す各縦断側面図である。
【図６】（ハ）が弾性印象材から手を抜いた状態を示し、（ニ）陰型手形に補強材付きのボルトを入れて石膏を流し込む状態を示す各縦断側面図である。
【図７】（ホ）が陰型手形に流し込んだ石膏の上から平面当て板を当てて抑えた状態を示す縦断側面図で、（ヘ）が弾性印象材を石膏手形から除去した形態を示す側面図である。
【図８】（ト）が台板に石膏手形を固定した状態を示す側面図である。
【図９】（チ）が石膏手形を額に入れた状態を示す縦断側面図である。
【図１０】（イ）が弾性印象材を容器に入れた状態を示し、（ロ）が弾性印象材に手を入れた状態を示す各縦断側面図である
【図１１】（ハ）が弾性印象材から手を抜いた状態を示し、（ニ）陰型手形に石膏を流し込む状態を示す各縦断側面図である。
【図１２】（ホ）が弾性印象材に石膏を流し終えた状態を示し、（ヘ）が弾性印象材から石膏手形原本を抜いた状態を示す各縦断側面図である。
【図１３】（ト）が弾性印象材を容器に入れた状態を示し、（チ）が弾性印象材に石膏手形原本を入れた状態を示す各縦断側面図である。
【図１４】（リ）が弾性印象材から石膏手形原本を外した状態を示し、（ヌ）が整形陰型手形に補強材付きのボルトを入れて石膏を流し込む状態を示す各縦断側面図である。
【図１５】（ル）が石膏を流し終えてボルト位置を固定する前の状態を示し、（オ）平面当て板を当ててボルト位置を固定した状態を示す各縦断側面図である。
【図１６】（ワ）が容器の開閉側部を開いた状態を示し、（カ）が容器から取り出して平面当て板を外した状態を示す各縦断側面図、（ヨ）が弾性印象材から抜いた状態の石膏手形を示す正面図である。
【図１７】第１の製造工程を示す工程図である。
【図１８】第２の製造工程を示す工程図である。
【発明を実施するための形態】
【００２３】
本発明の実施の形態を図に基づいて以下説明する。
本発明の額入れ用立体造形手形は、人の手をペースト状の印象材に差し込み、該印象材のゲル化後その手を引き抜いて得た手の陰型に石膏を流し込んで硬化させ、印象材を除去して得られる立体的な造形の石膏手形に関するものであり、本発明では該石膏手形を額に入れたり装飾台に載せて飾るものであり、石膏手形の内部にナット部を埋設する第１の形態と、ボルト頭を埋設する第２の形態とがある。
【００２４】
第１の形態は、図１の（イ）に示すように、以下の（ａ）〜（ｄ）の各部で構成される。
（ａ）印象材を用いて得た人の手の陰型に石膏を流し込んで得られる石膏手形１の手首部１ｄから甲部１ｂにかけての領域に平坦状に形成された台取付部２。
（ｂ）該台取付部２から内部に向けて平坦状の台取付部２に対して垂直になるように形成され、ボルト６を差し込み可能としたボルト穴５。
（ｃ）該ボルト穴５の内部に、前記ボルト６が螺着可能に埋設されたナット部３。
（ｄ）該ナット部３に各基端部４ａを固着して埋設するか又は基端部４ａに設けたアンカー部を掌部１ｃに埋設し、前記石膏手形の５本の指のうち少なくとも１本の指の内部に埋設した線状、紐状又は棒状の補強材４。
そして、前記ナット３部に前記ボルト６を着脱可能とする。
【００２５】
第２の形態は、図１の（ロ）に示すように、以下の（ａ）〜（ｃ）の各部で構成される。
（ａ）印象材を用いて得た人の手の陰型に石膏を流し込んで得られる石膏手形１の手首部１ｄから甲部１ｂにかけての領域に平坦状に形成された台取付部２。
（ｂ）ボルト頭８ａが石膏手形１の内部に配され、ネジ部８ｂの一部が前記台取付部２から突出され、平坦状の前記台取付部２に対して垂直となるように埋設された前記ボルト８。
（ｃ）該ボルト頭８ａに各基端部７ａを固着して埋設するか又は基端部７ａに設けたアンカー部を掌部１ｃに埋設し、前記石膏手形の５本の指のうち少なくとも１本の指の内部に埋設した線状、紐状又は棒状の補強材７。
そして、前記ネジ部８ｂにナット部９を着脱可能とする。
【００２６】
上記第１の形態と第２の形態の違いは、図３の（イ）と（ロ）に示すように、使用するボルト・ナットのうちどちらを石膏手形１の内部に埋設させるかの違いである。
この違いによって、第１の形態では、ボルト６の長さを自由に選択できるので、石膏手形１を額に入れて固定する際に、図２の（イ）及び（ロ）に示すように、固定対象となる額板２７や装飾台１３の厚さに応じて最適長さのボルト６で額板２７や額入れ用装飾台１３の背面にボルト６頭を突出させずに固定することが可能となる。
【００２７】
これに対して第２の形態では埋設された図８の（ト）に示すように、ボルト８で長さが決まり、製造後にはボルト８で長さを交換することができない。
従って、固定対象となる装飾台１３の厚さが決められている場合に、その決められた厚さに対して、ナット部９を締めでき且つ固定対象となる額板２７や額入れ用装飾台１３の背面にナット部９やボルトのネジ部８ｂが突出しない長さとなるボルト８を使用する。
【００２８】
使用する前記ボルト・ナットのサイズは限定するものではないが、手首部１ｄや甲部1ｄの厚さに応じて、埋設したボルト・ナットは掌の表面に露出しない大きさのものを使用し、材質は、ステンレスやアルミニュウム、銅、強化プラスチック製などの錆び難く強度の優れた材料を使用する。
前記補強材４、７は、外部衝撃で容易に切断されてしまうほど細いものや薄ものは使用しない。その材質は、ステンレスやアルミニュウム、銅などの錆び難い金属製のものや合成樹脂製の線材や板材が使用できる。例えば、径が１．５ｍｍ程度の銅線が手の力で指の形に応じて自由に曲げることができるので使用に適している。
又、前記補強材４、７は石膏に埋設されるナット部３、ボルト頭８ａの基端部４ａ、７ａを固着した形態と固着させずにナット部３、ボルト頭８ａ近傍の掌部１ｃに埋設するアンカー部を設けた形態とが可能である。
【００２９】
又、上記第１の形態及び第２の形態のいずれでも、前記台取付部２には、図１、図２及び図３の（イ）及び（ロ）に示すように、前記台取付部２のボルト６、８が貫挿可能となる位置に、平面板１２を埋設することができる。
該平面板１２はステンレスやアルミニュウムなどの錆び難い金属製で、外径を大きく広い表面を有し、円形や矩形を成し、その表面が前記台取付部２と面一となるように石膏内に埋設する。
該平面板１２は、前記台取付部２に突出させたボルト廻りの石膏を補強し、ボルトの強い締め付けで、ボルト周囲の石膏が破損されるのを防止することが可能となる。
【００３０】
又、前記石膏手形１の５指の内部に埋設された補強材４、７の各基端部４ａ、７ａの、前記石膏手形１の手首部１ｄから甲部1にかけて埋設されたナット部３又はボルト頭８ａへの固定は、直接溶接によって固着する方法、接着剤によって固着する方法、及び巻き付けによって固定する方法等が可能である。
この他にも例えば図４の（イ）及び（ロ）に示すように、少なくとも５箇所の補強材挿込穴１１ａを設けた補強材固定体１１を埋設される側のナット部３又はボルト頭８ａに一体的になるように固着し、該補強材挿込穴１１ａに基端部４ａ、７ａを差し込んで各補強材４、７を固着する形態も可能である。
前記補強材固定体１１の材質は金属の他に木材や合成樹脂等の使用が可能である。
この形態では、該補強材挿込穴１１ａに差し込んだ基端部４ａ、７ａに接着剤等で固着することでナット部３又はボルト頭８ａに補強材を強固に固着することができる。
【００３１】
そして、前記石膏手形１を、上記第１の形態では、図２の（イ）及び（ロ）に示すように、前記ボルト孔１４を備えた額入れ用装飾台１３にボルト６ａで固定する。
又、第２の形態では、図８に示すように、前記額入れ用の装飾台１３の前記ボルト孔１４にボルト８のネジ部８ｂを差し込んでナット部９で固定することとなる。
【００３２】
前記装飾台１３には、その背面のボルト孔１４の開口部に、ナット部９又はボルト頭６ａが没入可能なボルト隠し穴１５を形成することができる。
この形態では、前記ナット部９又はボルト頭６ａは、前記ボルト隠し穴１５の中で締めて前記装飾台１３を石膏手形１に固定した際に、前記装飾台１３に背面から前記ナット部９又はボルト頭６ａを突出させず固定することができる。
又、その際に、前記石膏手形１と前記装飾台１３とは、手の手首部１ｄから甲部１ｂにかけての領域に形成した台取付部２によって、平坦な額板２７の表面とが密接して安定的な固定が可能となる。
そして、図９に示すように、前記石膏手形１と前記装飾台１３とはボルト８で強固に固定され、且つ前記装飾台１３は額板２７に接着材、ネジ及び釘２６等を用いて、額内に安定状態に固定することが可能となる。
なお、この額の中の額板２７には、前記石膏手形１と並べて、氏名、生年月日、信条、詩、履歴。実績などの個人情報や顔写真等も張るここができる。
【００３３】
前記石膏手形１の表面は、石膏の地のままでも装飾的に白く綺麗な製品となるが、さらに、使用した石膏と同じ石膏で気泡の凹みを埋め、石膏が硬化後、表面全面をグラインダーで研磨すれば美しい模造した立体造形手形が完成する。
又、前記石膏手形１の表面は、更に金、銀で豪華に見せる着色を施しり、肌色でリアルに人の手を再現するように着色した立体造形手形としても良い。
【００３４】
次に、上記立体造形手形の製造方法を詳述する。
該製造方法は、図１７の工程図に示すＡ〜Ｄの第１の製造工程、又は図１８の工程図に示すＡ〜Ｈの第２の製造工程のいずれかで順に行われ、最後に上記額入れ用立体造形手形が得られる。
なお、図５〜図１６の各図はいずれも、上記額入れ用立体造形手形は、ボルト８のボルト頭８ａを石膏手形１の中に埋設した第２の形態によって説明する。
【００３５】
先ず第１の製造工程から説明する。
【００３６】
（Ａ）ゲル化時間設定工程
図１７に示すゲル化時間設定工程は、図５の（イ）に示すように、ペースト状のアルギン酸塩２０と石膏２１を容器１８内で攪拌混合してゲル化時間を設定時間に調節したペースト状の弾性印象材２２を得る。
前記アルギン酸塩２０は、歯科技工士が歯型を取るために用いている弾性印象材と同じ物を使用する。この弾性印象材はペースト状であったものが、一定時間でゴムのようにゲル状に柔軟に硬化するので、手を引き抜いたときの型崩れを起こさず元の手の形の陰型手形が正確に復元される。
石膏２１は純度の高い石膏を水でペースト状にして使用する。その石膏２１をペースト状のアルギン酸塩２０に入れるとその量に応じて硬化時間が短くなる作用を有する。
配合量は、アルギン酸塩５０ｇに対して石膏１０〜１７ｇ入れて３０〜４０秒間攪拌混合する。
石膏が１０ｇの場合では約３分で硬化し、それより多い１７ｇとすると約１分で硬化する。
アルギン酸塩は、ピンク色だったものが白く変色するので、硬化したことを知る目安となる。
乳幼児の手形は、手を長時間静止させるのを嫌がるので、１分以内で手を抜ける石膏を１７ｇを混合したものを用いると良い。
全体の使用量は幼児と大人の手の様に手の大きさによって異なるが、手を中に入れて手首が隠れる程度となる量とする。
【００３７】
（Ｂ）陰型手形型取り工程
人の手２３に万遍なくワセリンを塗り、乳幼児に場合、１分に設定した印象材２２を用いて、図５の（ロ）に示すように、容器１８内に入れた弾性印象材２２内に、その手２３の甲部１ｂを上にして差し込む。
約１分で弾性印象材２２がピンク色だったものが白く変色し、硬化した後に弾性印象材２２からその手２３を抜く。
そして、図６の（ハ）に示すように、弾性印象材２２の中に陰型手形２４の空間ができる。
その後陰型手形２４の中に残ったワセリンは拭き取っておく。
【００３８】
（Ｃ）石膏手形型取り工程
前記陰型手形型取り工程で得た弾性印象材２２の陰型手形２４の中に、図６の（二）に示すように、各指部分に補強材７を挿し込んで該補強材７を固定したボルト頭８ａを入れてバイブレーターで振動を加えてペースト状の石膏２５を指先にまで行き渡るように流し込む。
石膏には気泡が入らぬように流し込む前にバキュームミキサーで攪拌する。
陰型手形２4に石膏を満杯となるように流し込んだら、図７の（ホ）に示すように、弾性印象材２２より上に突出させたボルト８のネジ部８ｂに中央に孔１２ａを備えた平面板１２を貫装し、更にボルト挿込み孔１７を設けた透明アクリル製の平面当て板１６を貫装する。
そして、手首部１ｄから甲部1ｂにかけてのの領域に台取付部２を形成するため前記平面当て板１７を所望傾斜に押し当てナット部９で石膏を抑えるように固定する。
そのまま静置し、石膏の硬化後、前記平面当て板１７を外し、前記弾性印象材２２を除去すると、図７の（へ）に示すように、手首部１ｄから甲部１ｂにかけての領域に平坦な台取付部２が形成された石膏手形１が得られる。
この際、前記平面板１２は石膏４１の中に埋設され、その表面が前記台取付部２の表面と面一となる。
なお、前記平面当て板１７をボルト頭８ａに貫装する手順は、流し込む前であっても良い、その場合には前記平面当て板１７を持ち上げて、できた隙間から石膏２５を流し込む。
【００３９】
（Ｄ）手形仕上げ工程
得られた石膏手形２６の表面には気泡の跡の凹みや流れ出したバリ等が現れることがあり、気泡の跡には石膏を塗り込め、バリは研磨するなどして整形した石膏手形２６を得る。
【００４０】
（Ｅ）台板固定工程
石膏手形２６には、表面を塗装して装飾するなどし、図８に（ト）示すように、額入れ用装飾台１３を石膏手形２６の台取付部２にボルト孔１８を通して押し当て、ナット部９を締めて固定する。
又、その際に、前記石膏手形１と額入れ用装飾台１３とは、手首部から甲部１ｂにかけての領域に形成した台取付部２によって、平坦な額板の表面とが所望に設定した傾斜で密接して安定的に固定される。
【００４１】
そして、図９の（チ）に示すように、前記石膏手形１と額入れ用の装飾台１３とはボルト８で強固に固定され、前記装飾台１３と額板２７とが接着材、ネジ及び釘２６等を用いて安定状態に固定して収納することが可能となる。
これで第１の製造工程による額に入れた額入れ用立体造形手形が完成する。
【００４２】
次に第２の製造工程を説明する。この工程の形態は同形の手形のコピーを多数製造するのに使用する方法である。
【００４３】
（Ａ）ゲル化時間設定工程
図１０の（イ）に示すように、ペースト状のアルギン酸塩３０と石膏３１を容器１８内で混合し、ゲル化時間を設定時間に調節した弾性印象材３２を得る。
その量は、アルギン酸塩５０ｇに対して石膏を１０ｇ入れて３０〜４０秒間攪拌混合する。
アルギン酸塩を５０ｇに対して石膏を１０ｇ混合したので約３分間で硬化する。
【００４４】
（Ｂ）陰型手形型取り工程
人の手３３に万遍なくワセリンを塗って、図１０の（ロ）に示すように、３分に設定した弾性印象材３２を用いて、容器１８内に入れた該弾性印象材３２内にその手３３を手首まで差し込む。
約３分で弾性印象材３２がピンク色だったものが白く変色し、ゲル化した後に弾性印象材３２からその手３３を引き抜く。
その後付着した弾性印象材３２の中に残ったワセリンは拭き取っておく。
【００４５】
（Ｃ）石膏手形原本型取り工程
図１１の（ハ）に示すように、前記陰型手形型取り工程Ｂで得られた弾性印象材の陰型手形３４に、図１１の（ニ）に示すように、容器１９に入れたペースト状の石膏３５を流し込み、バイブレーターで振動を与えて該石膏３５を指先部分まで行き渡らせる。
その後、図１２の（ホ）に示すように、石膏が硬化したら、図１２の（へ）に示すように、弾性印象材３２を除去して石膏手形原本３６を得る、
【００４６】
（Ｄ）石膏手形原本整形工程       
得られた石膏手形原本３６の表面には気泡の跡の凹みや流れ出したバリ等が現れることがあり、気泡の跡は石膏を塗り込め、バリは研磨するなどし、更に研磨して整形した石膏手形３６を得る。
【００４７】
（Ｅ）整形陰型手形型取り工程
そして次に、図１３の（ト）に示すように、位置決め用容器を使用する。
前記位置決め用容器は、図１３の（ト）に示すように、台取付部２の位置及び傾斜角度を決めるため、可動式の可動底部４８と、該可動底部４８の周囲に設けたヒンジ４６で開閉する開閉側部４５とを有する。
該位置決め用容器の構造は、可動底部４８の下部周囲は縦板の支持台部４７で囲い、該支持台部４７は前記支持台部４７の中間高さで水平に固定した台部支持板４９を設け、該台部支持板４９には間隔を置いて複数のネジ孔５３、５４、５５を設けられる。
そして、前記各ネジ孔５３、５４、５５には下から傾斜調節ボルト５０、５１、５２を羅着して直立させ、前記各傾斜調節ボルト５１、５２、５３は、その上端部５１ｂ、５２ｂ、５３ｂを前記可動底部４８の下面に突き当て、その各ボルト頭５１ａ、５２ａ、５３ａの個別の回転によって、該可動底部４８の高さ及び傾斜角度を決めることができるようにする。
【００４８】
そして、該位置決め用容器の可動底部４８の高さ及び傾斜角度を、前記各傾斜調節ボルト５１、５２、５３の回転操作で決めてから、容器内部にワセリンを塗り、その中にペースト状のアルギン酸塩３７と石膏３８を混合してゲル化時間を設定時間に調節したペースト状の弾性印象材３９を入れる。
この位置決め用容器に入れる弾性印象材３９の配合はアルギン酸塩が５０ｇに対して石膏を１０ｇの場合では３分で硬化し、このアルギン酸塩はピンク色だったものが白く変色するので、硬化したことを知る目安となる。
そして、図１３の（チ）に示すように、弾性印象材３９内にワセリンを塗った石膏手形３６を差し込み、図１４の（リ）に示すように、硬化後に石膏手形原本３６を引き抜いて整形した弾性印象材３９の陰型手形４０を得る。
ここで、手の甲部１ｂに形成する台取付部２の位置を変えたい場合や傾斜角度を変えたい場合には、ナイフやカッターで陰型手形４０の上部を平坦に得たい位置及び角度で切り落とす。
【００４９】
（Ｆ）整形石膏手形型取り工程
前記整形陰型手形型取り工程で得た弾性印象材３９の陰型手形４０の中に、図１４の（ヌ）に示すように、各指部分に補強材７を挿し込んで該補強材７を固定したボルト頭８ａを入れてバイブレーターで振動を加え、バキュームミキサーで気泡を除いたペースト状の石膏４１を指先部分にまで行き渡るように流し込む。
該陰型手形４０に石膏４１が満杯となるように流し込んだら、図１５の（ル）に示すように、突出させたボルト８のネジ部８ｂに、孔１２ａを備えたステンレス製の平面円板１２を貫装し、更にボルト挿込み孔１７を設けた透明アクリル製の平面当て板１６を貫装する。
そして、図１６の（オ）に示すように、手の手首部から甲部１ｂにかけての領域に台取付部２を形成するため前記平面当て板１７を所望傾斜に押し当てナット部９で中の石膏４１を抑えるように固定する。
そのまま静置して、図１６の（ワ）に示すように、石膏４１の硬化後、容器の開閉側部４５を開ける。そして、図１６の（カ）に示すように、前記弾性印象材３９を取り出す。
そして、更に前記平面当て板１７を外すと手首部から甲部１ｂにかけての領域に平坦な台取付部２が形成された石膏手形４３が得られる。
この際、前記平面円板１２は石膏４１の中に埋設され、その表面が前記台取付部２の表面と面一となる。
更に、前記弾性印象材３９を除去すると、図１６の（ヨ）に示すように、手首部１ｄから甲部１ｂに平坦な台取付部２が形成され、その台取付部２の中にボルト８が直立した石膏手形４３が得られる。
なお、前記平面当て板１７をボルト頭８ａに貫装する手順は、流し込む前であっても良い、この場合には前記平面当て板１７を持ち上げて、できた隙間から石膏４１を流し込むこともできる。
【００５０】
（Ｇ）手形仕上げ工程
得られた石膏手形４３の表面には気泡の跡の凹みや流れ出したバリが現れることがあり、気泡の跡には石膏を塗り込め、バリ部分は研磨するなどして整形した石膏手形４４を得る。
該石膏手形４４は、表面を塗装して装飾するなどして更に仕上げることもできる。
【００５１】
上記整形陰型手形型取り工程から前記手形仕上げ工程までの工程を繰り返すことで、前記整形した石膏手形原本３６を何度も使用し、同形の石膏手形原本３６のコピーが多数製造可能となる。
【００５２】
（Ｈ）台板固定工程
前記石膏手形４４には、表面を塗装し装飾するなどし、図８に示すように、額入れ用装飾台１３を石膏手形１の台取付部２にボルト孔１７を通して押し当て、ナット部９を締めて固定する。
又、その際に、前記石膏手形１と額入れ用の装飾台１３とは、手首部１ｄから甲部１ｂに形成した台取付部２によって、平坦な額板２７の表面とが所望の傾斜角度で密接して安定的な固定が可能となる。
以上で第２の製造工程による額入れ用立体造形手形が完成する。
【００５３】
そして、図９に示すように、前記石膏手形１と前記装飾台１３とはボルト８で強固に固定され、前記装飾台１３と額板２７とが接着材、ネジ及び釘２６等を用いて安定状態に収納され、表にガラス板２９を張って、前記立体造形手形が額の中に収納される。
【００５４】
上記第１の製造工程及び第２の製造工程のいずれでも、前記石膏手形１を額に入れる際に、額板２７へは前記石膏手形１を額板２７に直接の固定する場合と、前記装飾台１３を介して固定する場合とがある。
直接固定する場合には、額板２７の厚さに最適な長さのボルト６を選択できる石膏手形１の内部にナット部３を埋設した第１の形態が最適である。この場合には厚い額板２７では額板２７の背面にボルト差込孔の開口部を窪ませたボルト隠し穴を設けるとことでボルト頭６ａを背面から突出しないように取り付けることが可能となる。
【００５５】
前記装飾台１３を用いる場合、その背面のボルト孔１４の開口部に、ナット部９又はボルト頭６ａが没入可能なボルト隠し穴１５を形成することで、前記装飾台１３の背面から前記ナット部９又はボルト頭６ａを突出させず固定することができ、このため、額板２７に対して、前記装飾台１３が接着材、ネジ及び釘２６等を用いて、安定状態で固定することが可能となる。なお、額板２７の表面が平坦ではなく湾曲等の変形したものである場合には、前記装飾台１３の背面を湾曲等の変形に応じて密着可能に変形させたものを使用すれば前記装飾台１３と額板２７とが接着材と釘やネジを併用して強固に固定することができる。
【産業上の利用可能性】
【００５６】
本発明は、人の手に限らず、弾性印象材で型取り可能な猿の指や鳥の足のように細く突出して壊れや易い部分を備えた立体造形物に対しても広く利用することが可能である。
【符号の説明】
【００５７】
１    石膏手形
１ａ  指部
１ｂ  甲部
１ｃ  掌部
１ｄ  手首部
２    台取付部
３    ナット部
４    補強材
４ａ  補強材の基端部
４ｂ  補強材の先端部
５    ボルト穴
６    ボルト
６ａ  ボルト頭
６ｂ  ネジ部
７    補強材
７ａ  補強材の基端部
７ｂ  補強材の先端部
８    ボルト
８ａ  ボルト頭
８ｂ  ネジ部
９    ナット部
１０    補強材固定体
１０ａ  補強材挿込穴
１１    補強材固定体
１１ａ  補強材挿込穴
１２    平面板
１２ａ  孔
１３    装飾台
１３ａ  装飾台の背面
１３ｂ  装飾台の前面
１４    ボルト孔
１５    ボルト隠し穴
１６    平面当て板
１７    ボルト孔
１８    容器
１９    カップ
２０    ペースト状アルギン酸塩
２１    石膏
２２    弾性印象材
２３    手
２４    弾性印象材の陰型手形
２５    ペースト状の石膏
２６    石膏手形
２７    額板
２８    額縁
２９    ガラス板
３０    弾性印象材
３１    弾性印象材
３２    弾性印象材
３３    人の手
３４    弾性印象材の陰型手形
３５    ペースト状の石膏
３６    石膏手形原本
３７    ペースト状アルギン酸塩
３８    石膏
３９    弾性印象材
４０    弾性印象材の陰型手形
４１    ペースト状の石膏
４２    流し込んだペースト状の石膏
４３    硬化した石膏手形
４４    石膏手形
４５    開閉側部
４６    ヒンジ
４７    支持台部
４８    可動底部
４９    台部支持板
５０    傾斜調節ボルト
５０ａ  傾斜調節ボルトのボルト頭
５０ｂ  傾斜調節ボルトの先端部
５１    傾斜調節ボルト
５１ａ  傾斜調節ボルトのボルト頭
５１ｂ  傾斜調節ボルトの先端部
５２    傾斜調節ボルト
５２ａ  傾斜調節ボルトのボルト頭
５２ｂ  傾斜調節ボルトの先端部
５３    ネジ孔
５４    ネジ孔
５５    ネジ孔
【図１】
2014113820.tif 000003
【図２】
2014113820.tif 000004
【図３】
2014113820.tif 000005
【図４】
2014113820.tif 000006
【図５】
2014113820.tif 000007
【図６】
2014113820.tif 000008
【図７】
2014113820.tif 000009
【図８】
2014113820.tif 000010
【図９】
2014113820.tif 000011
【図１０】
2014113820.tif 000012
【図１１】
2014113820.tif 000013
【図１２】
2014113820.tif 000014
【図１３】
2014113820.tif 000015
【図１４】
2014113820.tif 000016
【図１５】
2014113820.tif 000017
【図１６】
2014113820.tif 000018
【図１７】
2014113820.tif 000019
【図１８】
2014113820.tif 000020